(57)【要約】【課題】  レンズ２を折り畳んでプランジャー４により押圧して眼内へ放出できるとともに、折り畳んだレンズ２を鑷子15により取り出し可能とした眼内レンズ挿入器具１を提供することを課題とする。【解決手段】  折り畳み可能な眼内レンズ２を眼内に挿入するための眼内レンズ挿入器具１であって、前記眼内レンズ２を通過させて眼内に導く筒状の本体３と、前記眼内レンズ２を押圧して眼内に放出するプランジャー４を備え、レンズ設置部５に設けられる折り畳み部材８により眼内レンズ２を折り畳む。また、レンズ設置部５に開閉蓋12を設け、折り畳んだ後の眼内レンズ２を鑷子15により把持できるようにする。【選択図】  図１
2006230707.tif 000002
【特許請求の範囲】
【請求項１】
折り畳み可能な眼内レンズを眼内に挿入するための眼内レンズ挿入器具であって、前記眼内レンズを通過させて眼内に導く筒状の本体と、前記眼内レンズを押圧して眼内に放出するプランジャーを備え、前記本体に設けたレンズ設置部において前記眼内レンズを折り畳む折り畳み部材を設けるとともに、前記レンズ設置部において前記眼内レンズを取り出し可能としたことを特徴とする眼内レンズ挿入器具。
【請求項２】
前記眼内レンズを二つ折りに畳むことを可能としたことを特徴とする請求項１記載の眼内レンズ挿入器具。
【請求項３】
前記本体と一体または別体の開閉蓋を前記レンズ設置部に設けたことを特徴とする請求項１または２記載の眼内レンズ挿入器具。
【請求項４】
前記開閉蓋がヒンジにより前記本体に取り付けられていることを特徴とする請求項３記載の眼内レンズ挿入器具。
【請求項５】
前記レンズ設置部において折り畳んだ前記眼内レンズを鑷子により把持可能としたことを特徴とする請求項１〜４のいずれか１項に記載の眼内レンズ挿入器具。
【請求項６】
前記レンズ設置部に２つの折り畳み部材を設け、前記２つの折り畳み部材を板バネにより連結すると共に、前記折り畳み部材に突起を設け、前記板バネの付勢力に抗して前記折り畳み部材の位置を保持可能としたことを特徴とする請求項１〜５のいずれか１項に記載の眼内レンズ挿入器具。
【請求項７】
前記折り畳み部材にロック機構を設け、前記ロック機構を解除しなければ前記眼内レンズを折り畳むことができないようにしたことを特徴とする請求項１〜５のいずれか１項に記載の眼内レンズ挿入器具。
【発明の詳細な説明】
【技術分野】
【０００１】
本発明は、白内障手術により摘出した水晶体の代わりに、眼球内に眼内レンズを挿入するための眼内レンズ挿入器具に関するものであり、詳しくは折り畳んだ後の眼内レンズを鑷子により把持して眼内に挿入することも可能な眼内レンズ挿入器具に関する。
【背景技術】
【０００２】
白内障手術においては、超音波乳化吸引によって混濁した水晶体を除去し、その水晶体除去後の眼内へ人工眼内レンズを埋植する方法が広く行なわれている。埋植される眼内レンズには、光学部がポリメチルメタクリレート（ＰＭＭＡ）などの硬質材料からなる硬質眼内レンズと、シリコーンエラストマー、軟質アクリル、ハイドロゲルなどの柔らかい材料からなる軟質眼内レンズがある。硬質眼内レンズを用いる場合には、角膜、あるいは強膜に光学部の径とほぼ同じか、それよりやや大きな幅の切開創から眼内レンズを挿入する必要がある。一方、軟質眼内レンズを用いる場合には、光学部を折り畳むことにより更に小さな切開創から眼内レンズを眼球内に挿入することが可能となる。そして、小さな切開創により手術を行なうことで手術後の角膜乱視や感染症の危険性を回避することができる。かかる事情から近年においては、軟質眼内レンズが好んで用いられる傾向にある。
【０００３】
軟質眼内レンズを眼内に挿入する方法には、鑷子により折り畳んだ眼内レンズをそのまま直接眼内に挿入する方法の他に、インジェクターと呼ばれる専用の挿入器具を用いる方法がある。専用のインジェクターを使用することにより、鑷子を用いて眼内レンズを折り畳むよりも小さく折り畳むことができる。その結果、３ｍｍ以下の切開創口から眼内レンズ（以下、単にレンズともいう。）を眼内へ挿入することも可能となっている。
【０００４】
さらに、最近ではレンズの取扱時の細菌による汚染や、レンズの取扱時に起こり得る操作ミスの危険性を排除するために、レンズが予めインジェクター内にセットされているプリセット型のインジェクターも発表されている。そして、プリセット型インジェクターにおいては、出荷時のレンズ固定状態から使用時のレンズ移動状態に移行するために、光学部に応力をかけない状態でインジェクター内部にレンズを保持する機構と、押し出し機構により押し出し可能な位置に移動させるためのレンズ移動機構を有するものがある（例えば、特許文献１および２参照）。
【０００５】
しかし、前記特許文献に開示されたプリセット型インジェクターにおいては、使用時に固定状態から使用可能位置へレンズを移動させなければならず、移動操作に伴う不具合の危険性を排除することはできない。また、使用可能位置へレンズを移動し、光学部がほとんど変形していない状態から押し始めるという構造を有しているため、押し出し機構に要する移動距離が長くなる。それに伴って起こる不具合の可能性が高くなり、インジェクター全体の長さも長くなるなど構造上の制限が生じる。そのため、眼内レンズをレンズ設置部で折り畳み、ある程度の変形を行なってから眼内への移動を開始する機構を設けることにより、レンズの筒内における移動距離を短くすることが可能となり、結果として移動行程中における事故の低減や、インジェクター全体の長さを小さくすることにより取扱性も向上する。このような事情を考慮して可撓性を有する眼内レンズを小さい断面形状にすべく、横方向に圧縮するための機構を備えていることを特徴とした眼内レンズ挿入器具が開示されている（例えば、特許文献３参照）。
【特許文献１】特開２００３−３２５５７０号公報
【特許文献２】特開２００３−３２５５７２号公報
【特許文献３】特表２００１−５０２５６３号公報
【発明の開示】
【発明が解決しようとする課題】
【０００６】
しかし、上記特許文献３に開示された発明においては、眼内レンズが圧縮された状態から眼内にて開放される際、眼内を損傷させないために眼内レンズの対向する側端部を概ね平面関係に維持するための保持器を備えていることを一つの特徴としている。そのような形状にした場合、レンズ設置部および筒部の細い部分に眼内レンズが押し込まれると、レンズに非常に高い負荷がかかり、そのためにレンズが損傷する可能性がある。また、筒部にレンズが完全に包含されるため、いったん挿入器具内で変形させたレンズを変形後に取り出すことは不可能であった。
【０００７】
一方、眼内レンズを眼内に挿入する手術においては、例えばレンズの逢着が必要となった場合や、術者が鑷子を使用した挿入方法を好む場合など、何らかの理由により鑷子を用いて眼内レンズを眼内に挿入する必要が生じる場合がある。その際、いったんインジェクター内にセットされたレンズをインジェクター内から取り出し、その後、適切な方法でレンズを折り畳み、鑷子にて眼内へ挿入するという手段を経ることになる。しかし、そのような多段階の操作を含むことで眼内レンズが異物や細菌によって汚染されるなどの危険性は増大し、取扱のミスによる落下、レンズ破損などの可能性も高くなる。特に、プリセット型のインジェクターにおいては、レンズがインジェクター内にセットされた状態で出荷されるが、現在市販されているプリセット型インジェクターにおいては、レンズを鑷子にて取り出すことを意図しているものは無く、インジェクターを破壊する以外に眼内レンズを安全に取り出す機構を有しているものはない。
【０００８】
かかる事情から、手術方法に応じて二通りの使用方法が可能となる眼内レンズの挿入器具の実現が望まれている。本発明は、眼内レンズが予めインジェクター内にセットされているプリセット型インジェクターにおいて、レンズ設置部にセットしたレンズを簡単な操作により折り畳むことができる機能を有している。そして、インジェクターにより眼内に挿入する場合には、眼内レンズをレンズ設置部で折り畳んだ後、そのままプランジャーにより押出して眼内へ挿入でき、また、鑷子によりレンズを把持して眼内へ挿入する場合には、レンズの折り畳みの前または後にレンズ設置部の上部の壁もしくはその一部に設けた開閉機構によりレンズ設置部を開放し、折り畳んだレンズを折り畳んだ状態で鑷子にて取り出すことが可能な眼内レンズ挿入器具を提供することを目的とする。したがって、本発明はレンズが予めセットされた状態で出荷されるプリセット型インジェクターにもっとも適している。
【０００９】
また、レンズとインジェクターとが別々の包装で供給されるようなインジェクターにも適用することができ、その場合、インジェクターを使用して挿入することも出来るが、レンズをセットした後であっても、緊急な手術の要求に応じて鑷子による挿入術に切り替えることが可能である。
【課題を解決するための手段】
【００１０】
請求項１記載の発明は、折り畳み可能な眼内レンズを眼内に挿入するための眼内レンズ挿入器具であって、前記眼内レンズを通過させて眼内に導く筒状の本体と、前記眼内レンズを押圧して眼内に放出するプランジャーを備え、前記本体に設けたレンズ設置部において前記眼内レンズを折り畳む折り畳み部材を設けるとともに、前記レンズ設置部において前記眼内レンズを取り出し可能としたことを特徴とするものである。
【００１１】
請求項２記載の発明は、請求項１記載の眼内レンズ挿入器具において、前記眼内レンズを二つ折りに畳むことを可能としたことを特徴とするものである。
【００１２】
請求項３記載の発明は、請求項１または２記載の眼内レンズ挿入器具において、前記本体と一体または別体の開閉蓋を前記レンズ設置部に設けたことを特徴とするものである。
【００１３】
請求項４記載の発明は、請求項３記載の眼内レンズ挿入器具において、前記開閉蓋がヒンジにより前記本体に取り付けられていることを特徴とするものである。
【００１４】
請求項５記載の発明は、請求項１〜４のいずれか１項に記載の眼内レンズ挿入器具において、前記レンズ設置部にて折り畳んだ前記眼内レンズを鑷子により把持可能としたことを特徴とするものである。
【００１５】
請求項６記載の発明は、請求項１〜５のいずれか１項に記載の眼内レンズ挿入器具において、前記レンズ設置部に２つの折り畳み部材を設け、前記２つの折り畳み部材を板バネにより連結すると共に、前記折り畳み部材に突起を設け、前記板バネの付勢力に抗して前記折り畳み部材の位置を保持可能としたことを特徴とするものである。
【００１６】
請求項７記載の発明は、請求項１〜５のいずれか１項に記載の眼内レンズ挿入器具において、前記折り畳み部材にロック機構を設け、前記ロック機構を解除しなければ前記眼内レンズを折り畳むことができないようにしたことを特徴とするものである。
【発明の効果】
【００１７】
請求項１記載の眼内レンズ挿入器具によれば、眼内レンズを予めインジェクター内にセットした状態から、インジェクターを使用して眼内レンズを眼内に移植することができるとともに、眼内レンズを折り畳んだ後、必要に応じて鑷子により眼内レンズを把持して眼内に移植することもできる。
【００１８】
請求項２記載の眼内レンズ挿入器具によれば、眼内レンズを二つ折りに畳むことができるので、鑷子を用いて容易に眼内レンズを把持することができる。
【００１９】
請求項３記載の眼内レンズ挿入器具によれば、開閉蓋を開くことにより折り畳んだ状態の眼内レンズを鑷子により把持することができる。
【００２０】
請求項４記載の眼内レンズ挿入器具によれば、ヒンジにより開閉蓋が本体に取り付けられているので、開閉蓋が本体から落下することがない。
【００２１】
請求項５記載の眼内レンズ挿入器具によれば、眼内レンズをレンズ設置部において折り畳んだ後、必要に応じて眼内レンズを鑷子により把持して眼内へ移植することもできる。
【００２２】
請求項６記載の眼内レンズ挿入器具によれば、２つの折り畳み部材を板バネにより連結したので、適正な大きさの操作力が得られる。また、折り畳み部材に突起を設けて本体との間に係止可能としたので、板バネの付勢力に抗して折り畳み部材の位置を保持できる。
【００２３】
請求項７記載の眼内レンズ挿入器具によれば、折り畳み部材にロック機構を設け、このロック機構を解除しなければ眼内レンズを折り畳むことができないようにしたので、不用意に眼内レンズを変形させることがない。
【発明を実施するための最良の形態】
【００２４】
以下、本発明を実施するための形態について図面を参照しながら説明する。図１〜図３は、本発明に係る眼内レンズ挿入器具の第１実施例を示すものであり、図１は開閉蓋が開かれ、かつノズルキャップが装着された状態を示す図面である。この眼内レンズ挿入器具１は、折り畳み可能な可撓性を有する眼内レンズ２を眼内に挿入するための眼内レンズ挿入器具１であって、前記眼内レンズ２を通過させて眼内に導く筒状の本体３と、前記眼内レンズ２を押圧して眼内に放出するプランジャー４を備え、前記本体３に設けたレンズ設置部５において眼内レンズ２を折り畳む折り畳み部材８を設けるともに、前記レンズ設置部５において眼内レンズ２を取り出し可能としたものである。
【００２５】
以下、具体的に説明する。筒状の本体３はハンドピースとも呼称され、筒状の本体３の途中にレンズ設置部５が設けられている。そして、筒状の先端部６の内径寸法は細く絞られており、その先端部６を切開創から眼内へ挿入して眼内レンズ２を移植できるようにされている。また、筒状の本体３の術者側には把持部７が設けられるとともに、筒状の本体３の内部には眼内レンズ２を押圧するためのプランジャー４が摺動自在に装着されている。また、レンズ設置部５にはレンズ２を折り畳むための折り畳み部材８が、レンズ設置部５上で平行移動可能なようにプランジャー軸4aに対し横方向から装着されている。レンズ２を設置する際には、この折り畳み部材８を横外方向に引き出してレンズ２を設置する。折り畳み部材８を横外方向いっぱいに引き出すと、レンズ設置部５にはレンズ光学部2aの外径寸法よりやや大きなスペースが確保され、レンズ２の光学部2aに余分なストレスを与えることなくレンズ２を設置することができる。
【００２６】
また、折り畳み部材８が横外方向に引き出された状態では、プランジャー４の誤操作等によりレンズ２が押出されないよう規制すべく、プランジャー先端部4bが折り畳み部材８の側片に突き当たるように構成されている。なお、レンズ設置部５にはレンズ２の移動を規制するための位置規制用突起９が設けられている。
【００２７】
また、筒状の先端部６は手術時において眼内へ挿入されるため、常に清浄な状態に保持されている必要がある。そこで、先端部たるノズル６を保護するためにノズルキャップ11が装着される。このノズルキャップ11はノズル６を保護するとともに、前記折り畳み部材８の押し込み動作を規制する機能をも兼ね備えている。すなわち、ノズルキャップ11を外した後でなければ、折り畳み部材８を押し込むことができないようにされている。したがって、誤操作等により不適切なタイミングでレンズ２が折り畳まれるのを防止することができる。
【００２８】
図２はレンズ２設置後、開閉蓋12を閉じた状態を示すインジェクター１の外観図である。レンズ設置部５には本体３と一体または別体の開閉蓋12が設けられており、レンズ２設置後に開閉蓋12を閉じることによりインジェクター１を運搬等しても眼内レンズ２をレンズ設置部５内に固定できるようにされている。また、開閉蓋12には検査用の穴13が設けられており、開閉蓋12を閉じた状態であっても、レンズ設置部５に設置されたレンズ２の状態を外部から容易に視認できるようにされている。本実施例においては、本体３と一体の開閉蓋12が合成樹脂材料からなるヒンジ14により開閉できるようにされている。
【００２９】
図３は、図２のＡ−Ａ矢視を示す断面図であり、（ａ）はレンズ２がプリセットされた状態を示し、（ｂ）はレンズ２が折り畳まれた後の状態を示している。また、（ｃ）は折り畳んだレンズ２を鑷子15により取り出せる状態にしたものを示している。（ａ）に示すプリセット状態においては、レンズ２は自由移動できない程度に位置固定されているが、光学部2aに何ら余分な応力は付加されない。したがって、プリセット状態で長時間保管してもレンズ２の光学特性に悪影響を与えることがない。また、誤ってプランジャー４を操作したとしても、折り畳み部材８を押し込まない限りプランジャー４の動きは折り畳み部材８に衝突して規制されるので、（ａ）に示すプリセット状態では眼内レンズ２の押出しを防止することができる。さらに、ノズルキャップ11を外さない限り折り畳み部材８を押し込むこともできないので、誤って眼内レンズ２を折り畳むことも防止できる。
【００３０】
手術時、このインジェクター１を使用して眼内レンズ２を眼内へ挿入する場合、ノズルキャップ11を取り外した後、折り畳み部材８を押し込んでレンズ設置部５に収納された眼内レンズ２を変形させて折り畳む。具体的には、（ｂ）に示すように折り畳み部材８を押し込むと、眼内レンズ２の光学部2aは本体３の内壁面と折り畳み部材８により圧縮され、略Ｕ字形状に折り畳まれる。その後、先端部たるノズル６を眼球の切開創口から眼球内に挿入し、プランジャー４により眼内レンズ２を押圧して眼内に移植することができる。なお、折り畳み部材８を押し込んで眼内レンズ２を折り畳んだ位置においては、折り畳み部材８に設けられたプランジャー通し穴8dの中心がプランジャー軸4aの軸心と一致するように構成されており、プランジャー４を押すことにより眼内レンズ２を押圧して移動することができるようになっている。
【００３１】
一方、術者の都合等によりインジェクター１を使用して直接眼内へレンズ２を移植するよりも、鑷子15により眼内レンズ２を把持して眼内に挿入する方が好ましい場合もある。そのような場合、（ｃ）に示すように眼内レンズ２を折り畳み部材８によって折り畳んだ後、開閉蓋12を開いて折り畳んだ光学部2aを鑷子15により把持して眼内に挿入することができる。したがって、本発明によれば、インジェクター１を使用して眼内レンズ２を眼内に移植することができるとともに、眼内レンズ２を折り畳んだ後、必要に応じて鑷子15により眼内レンズ２を把持して眼内に移植することもできる。
【００３２】
図４〜図８は、本発明に係る眼内レンズ挿入器具１の第２実施例を示すものであり、図４は開閉蓋12を開いた状態を示す図面である。本実施例は、折り畳み部材８、ノズルキャップ11および保護カバー16の具体的構造が前記第１実施例と異なる。したがって、第１実施例と共通する部分についての説明は省略し、異なる構造を有する折り畳み部材８、ノズルキャップ11および保護カバー16について説明する。
【００３３】
本実施例による折り畳み部材８はレンズ設置部５において回転可能なボス8aが設けられ、そのボス8aにはレンズ設置部５に配置される押圧部8bと本体３から外方に伸びる操作部8cが一体的に設けられている。そして、図５に示すようにレンズ設置部５に眼内レンズ２をセットする際には、操作部8cを本体３より外方に回動させてレンズ設置部５に広いスペースを確保してレンズ２を設置する。この状態においてはボス8aに設けられた貫通溝8eの方向とプランジャー軸4aの方向が一致することはなく、誤操作等によりプランジャー４が押されたとしてもプランジャー軸4aの先端部4bはボス8aの側面に突き当たって移動が規制されるため、眼内レンズ２がプランジャー軸4aによって押圧されるのを防止することができる。
【００３４】
また、本実施例によるノズルキャップ11は、図４に示すようにノズル６の先端部を塞ぐキャップ部11aとプレスホルダー11bが一体的に形成されている。ここで、プレスホルダー11bは本体３の外面と前記折り畳み部材８の操作部8cとの間に配置され、プレスホルダー11bを取外さない限り操作部8cの操作ができないよう機能する。
【００３５】
さらに、図５に示すように、ノズル６およびレンズ設置部５全体を保護するための保護カバー16を設けることもできる。保護カバー16の下面には、２箇所に突起16aが一体的に設けられており、保護カバー16を本体３に装着すると、開閉蓋12に設けられた穴12aに前記突起16aが挿通され、レンズ２の光学部2aの外縁近傍に達するようにされている。したがって、保護カバー16を本体３に装着すると、レンズ設置部５におけるレンズ２の移動を規制することができる。なお、保護カバー16にもレンズ光学部2aの中心に対応する位置にレンズ2の状態を視認できるよう検査用の穴16bが設けられている。
【００３６】
図６は、図５のＢ−Ｂ矢視を示す断面図であり、レンズ設置部５にレンズ２がセットされた状態を示している。レンズ設置部５にレンズ２をセットする際には、折り畳み部材８の操作部8cを操作して押圧部8bを外方位置にすることにより、レンズ設置部５に光学部2aを載置できるスペースが確保される。もちろん、レンズ２をセットする場合には、保護カバー16を取り外し、開閉蓋12を開く必要がある。セットされた後のレンズ２は、保護カバー16に設けられた突起16aにより移動が制限される。
【００３７】
図７は、図５に対応する図面であり、折り畳み部材８の操作部8cが本体３側に操作されてレンズ２が折り畳まれる状態を示している。レンズ２を折り畳む際には、先ず保護カバー16を本体３から取り外す。そうすると、折り畳み部材８の操作部8cの動きを規制していたプレスホルダー11bも一緒に取り外され、レンズ２の折り畳み操作が可能な状態になる。そこで、折り畳み部材８の操作部8cを本体３側に押すと、折り畳み部材８はボス8aを中心として回動し、押圧部8bによりレンズ２の光学部2aの一端が押圧される。レンズ２の光学部2aの一端が押圧されれば、レンズ２は本体３の内壁と押圧部8bとの間に挟まれて圧縮されることから折り畳まれることになる。そして、折り畳み部材８のボス8aが回動すると、そのボス8aに設けられている貫通溝8eの方向とプランジャー軸4aの方向が一致するようにされている。このようにレンズ２が折り畳まれた後においては、プランジャー４の操作により折り畳まれたレンズ２の光学部2aを押圧して移動することができるようになる。したがって、プランジャー４を使用してレンズ２を眼内に移植する場合には、プランジャー４によりレンズ２の光学部2aを押圧して移植することができる。
【００３８】
図８は、図７中のＣ−Ｃ矢視断面を示すものであり、レンズ２折り畳み後の状態を示している。インジェクター１を使用して眼内レンズ２を移植する場合には、図８に示すレンズ２折り畳み後の状態からプランジャー４により光学部2aの外縁を押圧して移植する。一方、インジェクター１を使用せず、鑷子15によりレンズ２を把持して眼内にレンズ２を移植する場合には、図８に示す折り畳み後のレンズ２を、開閉蓋12を開けることによって鑷子15により把持して眼内に移植することができる（図１５参照）。
【００３９】
図９〜図１２は、本発明に係る眼内レンズ挿入器具１の第３実施例を示すものであり、図９は保護カバー16を取り外した状態を示す図面である。本実施例は前記第１実施例や第２実施例とは折り畳み部材８および開閉蓋12の構造が大きく異なるが、その他の構造については共通している。したがって、第１実施例や第２実施例と共通する部分についての説明は省略し、異なる構造を有する折り畳み部材８と開閉蓋12について説明する。
【００４０】
本実施例においては２つの折り畳み部材８を有し、レンズ２の光学部2aを両側から挟んで折り畳むようになっている。また、２つの折り畳み部材８はレンズ設置部５に対して軸対称位置に配置され、板バネ17により連結されている。さらに折り畳み部材８の適所には突起8fが設けられ、この突起8fが本体３に設けられた凹所等に係止できる構成とされている。かかる構造を有するインジェクター１において、レンズ設置部５にレンズ２をセットする際には板バネ17を圧縮することなく、折り畳み部材８を外方に出した状態にしておく。この状態においては２つの折り畳み部材８,８間にレンズ２を収納できるスペースが確保される。
【００４１】
レンズ２をセット後、図１０に示すように本体３に保護カバー16が装着される。このことによりレンズ２の位置は固定されるとともに、ロック機構8g,16cによって２つの折り畳み部材８,８の動きも規制される。すなわち、保護カバー16の裏面にはレンズ２の位置を固定するための２箇所の突起16aと、折り畳み部材８の動きを固定するための４箇所の突起16cが設けられており、保護カバー16を本体３に装着することによりレンズ２の動きと折り畳み部材８の動きをロックすることができるようにされている。具体的には、保護カバー16の裏面に設けられた２箇所の突起16aは、開閉蓋12に設けられた２箇所の穴20に挿通され、レンズ２の光学部2aの移動を規制する。また、折り畳み部材８に設けられたロック穴8gに保護カバー16の突起16cが挿入されることにより折り畳み部材８はロックされることになる。
【００４２】
なお、図１０に示す開閉蓋12は、本体３とは別体として構成しているが、ヒンジ等により本体３と一体構造とすることもできる。
【００４３】
図１１は図１０のＤ−Ｄ矢視を示す斜視図であり、（ａ）はプリセット状態を示し、（ｂ）はレンズ折り畳み後の状態を示している。（ａ）に示すプリセット状態においては、レンズ２の光学部2aにストレスを与えることなく載置される。（ｂ）に示すレンズ折り畳み後の状態では、レンズ２の光学部2aは両側から押されて断面が略U字形に折り畳まれている。ここで、レンズ設置部５の上部に装着される開閉蓋12には、レンズ２の状態を視認するための検査穴19と保護カバー16の突起16aが挿通される穴20が設けられている。
【００４４】
図１２は、図１１と同じ部位を示す図面であるが、レンズ折り畳み後のレンズ２の移植方法を説明するためのものである。具体的には、図１０のＤ−Ｄ矢視を示す斜視図であり、（ａ）はプランジャー軸4aによりレンズ２を押し出す場合を示し、（ｂ）は鑷子15によりレンズ２を把持する場合を示している。インジェクター１を使用してレンズ２を移植する場合には、（ａ）に示すように２つの折り畳み部材８を両側から押してレンズ２を折り畳んだ後、プランジャー軸4aによりレンズ２を押圧して移植する。一方、インジェクター１を使用せずに鑷子15によりレンズ２を把持して移植する場合には、（ｂ）に示すようにレンズ折り畳み後に開閉蓋12を取外し、その後、鑷子15により折り畳んだレンズ２を把持して眼内に移植することができる（図１５参照）。
【００４５】
図１３および図１４は、本発明に係る眼内レンズ挿入器具１の第４実施例を示すものであり、開閉蓋12を取外した状態を示している。本実施例は前記第３実施例と同様の構成を有するものであるが、折り畳み部材８の具体的構造が第３実施例と異なる。したがって、第３実施例と共通する部分についての説明は省略し、第３実施例と異なる構造を有する折り畳み部材８について説明する。
【００４６】
本実施例は、レンズ設置部５に２つの折り畳み部材８を設け、前記２つの折り畳み部材８を板バネ17により連結すると共に、前記折り畳み部材８に突起8fを設けて本体３の適所に係止し、前記板バネ17の付勢力に抗して前記折り畳み部材８の位置を保持可能としたものである。ただし、板バネ17による連結方法が第３実施例と異なっている。２つの折り畳み部材８は略八の字状に配置され、その一端を板バネ17により連結している。そして、板バネ17を中心にして２つの折り畳み部材８が所定角度だけ回動できるようにされている。すなわち、２つの折り畳み部材８を外方に開いた状態ではレンズ設置部５において、２つの折り畳み部材８は略八の字状に配置され、レンズ光学部2aを設置できるだけのスペースが確保される。したがって、この状態においてはレンズ光学部2aに余分な応力を与えることなくレンズ２を設置できる。レンズ設置後、開閉蓋12を本体３に装着することによりレンズ２のセットは完了する。また、開閉蓋12の裏面には図示しないが、レンズ２の位置を固定するための複数の突起と折り畳み部材８の動きを固定するための複数の突起が設けられており、開閉蓋12を本体３に装着することによりレンズ２の動きと折り畳み部材８の動きを規制することができるようになっている。さらに、開閉蓋12にはプランジャー軸4aの動きを規制する突き当てを設け、プランジャー４の誤操作によってレンズ２が押圧されないようにされている。
【００４７】
図１５は、インジェクター１を使用することなく、鑷子15によりレンズ２を把持する様子を示すものである。レンズ２が折り畳まれた後においては、レンズ２の折り曲げ部が折り畳み部材８よりも上方に凸となるので、鑷子15により容易にレンズ２を把持することができる。
【００４８】
以上、本発明を幾つかの実施例に基づいて説明したが、本発明は上記した実施例に限定されるものではなく、種々の変形実施をすることができる。例えば、上記実施例においては、２つの折り畳み部材８を連結する方法として別体の板バネ17を用いる場合を示したが、２つの折り畳み部材８とバネ部材を一体に形成することもできる。
【図面の簡単な説明】
【００４９】
【図１】本発明の第１実施例である眼内レンズ挿入器具の開閉蓋を開いた状態を示す図面である。
【図２】同上、開閉蓋を閉じた状態を示す外観図である。
【図３】図２のＡ−Ａ矢視を示す断面図であり、（ａ）はプリセット状態を示し、（ｂ）はレンズ折り畳み後の状態を示し、（ｃ）は鑷子により取り出す場合を示している。
【図４】本発明の第２実施例である眼内レンズ挿入器具の開閉蓋を開いた状態を示す図面である。
【図５】第２実施例に着脱可能な保護カバーを含めて示した斜視図である。
【図６】図５のＢ−Ｂ矢視を示す断面図である。
【図７】第２実施例におけるレンズ折り畳み後の状態を示す斜視図である。
【図８】図７のＣ−Ｃ矢視を示す断面図である。
【図９】本発明の第３実施例である眼内レンズ挿入器具の断面図である。
【図１０】第３実施例に着脱可能な保護カバーを含めて示した斜視図である。
【図１１】図１０のＤ−Ｄ矢視を示す斜視図であり、（ａ）はプリセット状態を示し、（ｂ）はレンズ折り畳み後の状態を示す。
【図１２】図１０のＤ−Ｄ矢視を示す斜視図であり、（ａ）はプランジャーによりレンズを押し出す場合を示し、（ｂ）は鑷子によりレンズを把持する場合を示している。
【図１３】本発明の第４実施例である眼内レンズ挿入器具の斜視図である。
【図１４】同上、断面図である。
【図１５】折り畳み後のレンズを鑷子により把持する状態を示す図面である。
【符号の説明】
【００５０】
１  眼内レンズ挿入器具（インジェクター）
２  眼内レンズ（レンズ）
３  本体
４  プランジャー
５  レンズ設置部
８  折り畳み部材
8f  突起
12  開閉蓋
14  ヒンジ
15  鑷子
8g,16c  ロック機構
17  板バネ
【図１】
2006230707.tif 000003
【図２】
2006230707.tif 000004
【図３】
2006230707.tif 000005
【図４】
2006230707.tif 000006
【図５】
2006230707.tif 000007
【図６】
2006230707.tif 000008
【図７】
2006230707.tif 000009
【図８】
2006230707.tif 000010
【図９】
2006230707.tif 000011
【図１０】
2006230707.tif 000012
【図１１】
2006230707.tif 000013
【図１２】
2006230707.tif 000014
【図１３】
2006230707.tif 000015
【図１４】
2006230707.tif 000016
【図１５】
2006230707.tif 000017